(57)【要約】【課題】糸くず等の細長い塵埃が回転清掃体に絡みつかない吸込口体及びこれを備える電気掃除機を提供すること。【解決手段】吸込口体１２は、吸込室１６を有し且つ吸込室１６の吸込開口１６ａが底面に開口する吸込口本体１４と、吸込開口１６ａに沿って吸込室１６に配設され且つ清掃面の塵埃を掻き上げ可能に両端部が吸込口本体１４に回転自在に保持された塵埃掻き上げ用の回転清掃体１７と、吸込口本体１４に装着されて回転清掃体１７を回転駆動する駆動モータ２０とを備えている。しかも、前記駆動モータ２０の正回転と逆回転の駆動制御が制御手段２２により行われるようになっている。また、制御手段２２は、一回転未満の範囲内で回転清掃体１７の正回転と逆回転の駆動制御を交互に実行するように設定されている。また、この発明の電気掃除機は、このような吸込口体１２を有する。【選択図】図４
2007313099.tif 000002
【特許請求の範囲】
【請求項１】
吸込室を有し且つ前記吸込室の吸込開口が底面に開口する吸込口本体と、前記吸込開口に沿って前記吸込室に配設され且つ清掃面の塵埃を掻き上げ可能に両端部が前記吸込口本体に回転自在に保持された塵埃掻き上げ用の回転清掃体と、前記吸込口本体に装着されて前記回転清掃体を回転駆動する駆動モータを備え、
前記駆動モータの正回転と逆回転の駆動制御が制御手段により行われる吸込口体であって、
前記制御手段は、一回転未満の範囲内で前記回転清掃体の正回転と逆回転の駆動制御を交互に実行するように設定されていることを特徴とする吸込口体。
【請求項２】
請求項１に記載の吸込口体を有することを特徴とする電気掃除機。
【発明の詳細な説明】
【技術分野】
【０００１】
この発明は、駆動モータで回転駆動されて清掃面の塵埃を掻き上げる回転清掃体が設けられた吸込口体及びこれを備える電気掃除機に関するものである。
【背景技術】
【０００２】
従来の電気掃除機には、集塵室及びこの集塵室に吸込負圧を作用させる電動送風機が設けられた掃除機本体と、この集塵室に集塵ホース及び延長管を介して接続された吸込口体を備えるものがある。
【０００３】
この吸込口体としては、左右に延びる吸込室を吸込口本体内に設け、この吸込室の吸込開口を吸込口本体の底面に開口させ、この吸込開口に沿って左右に延びる回転清掃体を吸込室内に配設し、この回転清掃体の左右の端部を吸込口本体に回転自在に保持させると共に、この回転清掃体を駆動モータで回転駆動させて、回転清掃体により清掃面の塵埃を掻き上げるようにしたものがある。
【０００４】
このような吸込口体では、吸込口本体を前方に押して、吸込口本体を前方へ移動操作したときに、回転清掃体を正回転（前側に向かう走行力を発生させる方向へ回転）させる一方、吸込口本体を引いて、吸込口本体を後方へ移動操作させたときに、回転清掃体を逆回転（後側に向かう走行力を発生させる方向へ回転）させるようにするものも知られている（例えば、特許文献１参照）。
【特許文献１】特開平６−１６５７４１号公報
【発明の開示】
【発明が解決しようとする課題】
【０００５】
しかしながら、このような吸込口体では、回転清掃体を同じ方向に長時間、多数回転させる構成となっているため、糸くず等の細長い塵埃が回転清掃体に絡みついてしまうことが多く、メインテナンスに手間がかかるものであった。
【０００６】
そこで、この発明は、糸くず等の細長い塵埃が回転清掃体に絡みつかない吸込口体及びこれを備える電気掃除機を提供することを目的とするものである。
【課題を解決するための手段】
【０００７】
この目的を達成するため、この発明の吸込口体は、吸込室を有し且つ前記吸込室の吸込開口が底面に開口する吸込口本体と、前記吸込開口に沿って前記吸込室に配設され且つ清掃面の塵埃を掻き上げ可能に両端部が前記吸込口本体に回転自在に保持された塵埃掻き上げ用の回転清掃体と、前記吸込口本体に装着されて前記回転清掃体を回転駆動する駆動モータを備えている。しかも、前記駆動モータの正回転と逆回転の駆動制御が制御手段により行われるようになっている。また、前記制御手段は、一回転未満の範囲内で前記回転清掃体の正回転と逆回転の駆動制御を交互に実行するように設定されている。また、この発明の電気掃除機は、このような吸込口体を有する。
【発明の効果】
【０００８】
このような吸込口体及びこれを備える電気掃除機は、糸くず等の細長い塵埃が回転清掃体に絡みつくのを防止できる。
【発明を実施するための最良の形態】
【０００９】
以下、この発明の実施の形態を図面に基づいて説明する。
【００１０】
図１において、１は電気掃除機の掃除機本体である。この掃除機本体１は、下ケース２と、下ケースの２の後部上に取り付けられた上ケース３と、下ケース２の前部上に上下に開閉可能に取り付けられた集塵室カバー４を有する。
【００１１】
そして、下ケース２の前部と集塵室カバー４との間には集塵室５が形成され、下ケース２の後部との間には送風機室６が形成されている。この集塵室５と送風機室６は図示しない隔壁により区画され、この隔壁には集塵室５と送風機室６とを連通させる連通路（図示せず）が形成されている。尚、Ｃは電源コード、Ｐは電源コードＣの自由端部に設けられた電源プラグである。
【００１２】
また、下ケース２の前端部には集塵室５に連通するホース接続口２ａが形成され、集塵室５内には集塵袋である紙パックフィルタ７が配設され、送風機室６には集塵室５に吸込負圧を作用させる電動送風機８が配設されている。尚、８Ａは電動送風機８の吸込開口である。更に、ホース接続口２ａ及び紙パックフィルタ７には集塵ホース９の一端部に設けられた接続筒体９ａが接続されている。この集塵ホース９の他端部には手元操作パイプ１０が接続され、手元操作パイプ１０には延長パイプ１１を介して吸込口体１２が接続されている。
【００１３】
この手元操作パイプ１０には操作パネル１３が設けられている。この操作パネル１３には、吸込口体１２に設けられる後述の回転清掃体駆動用モータ（パワーブラシ駆動用モータ）のＯＮ・ＯＦＦに用いられるスイッチＳａと、電動送風機８のＯＮ操作及びその吸込風量の「弱」・「中」の切り替えに用いられるスイッチＳｂと、電動送風機８をＯＮさせて吸込風量を「強」にするスイッチＳｃと、電動送風機８のＯＦＦ操作に用いられるスイッチＳｄが設けられている。
（吸込口体）
吸込口体１２は、図２に示したように左右方向に延びる吸込口本体１４と、吸込口本体１４に任意の方向に傾動操作可能に保持された接続パイプ１５を有する。この吸込口本体１４内には図３に示したように左右方向に延びる吸込室１６が形成され、この吸込室１６は接続パイプ１５に図示しない吸込風路を介して連通している。尚、図１において、接続パイプ１５は延長パイプ１１の先端部に着脱可能に嵌合接続されている。
【００１４】
また、図３に示したように吸込室１６の吸込開口１６ａは吸込口本体１４の底面に開口させられている。この吸込室１６内には、吸込開口１６ａに沿って延びる回転清掃体１７が配設されている。この回転清掃体１７は、回転軸１８と、この回転軸１８に螺旋帯状に突設された複数のブラシ毛１９を有する。
【００１５】
そして、この回転軸１８は、吸込口本体１４の両端部に回転自在に保持されている。しかも、図１に示したように吸込口本体１４の後部内には回転清掃体駆動用の駆動モータ２０が装着されている。この駆動モータ２０の図示しない出力軸はタイミングベルト２１を介して回転清掃体１７の回転軸１８に連動している。この構成には周知の構成を採用できるので、その詳細な説明は省略する。
（制御回路）
また、上述した操作パネル（手元操作手段）１３は図４の制御手段（演算制御回路）２２に接続されている。この制御手段２２には電源回路２３から電力が供給されるようになっている。しかも、電源回路２３には、図１の電源プラグＰを商用電源のコンセント（図１では図示せず）に差し込むことで、図４の商用電源Ｅから電力が供給可能となる。
【００１６】
しかも、制御手段２２は、スイッチＳｂをＯＮさせると電動送風機８をサイリスタ２４を介して駆動させると共に、スイッチＳｂを押す毎に電動送風機８の吸込風量を「弱」と「中」に交互に切り替えるようになっている。また、制御手段２２は、スイッチＳｃをＯＮさせると電動送風機８をサイリスタ２５を介して駆動させて、電動送風機８の吸込風量を「強」にする。
【００１７】
更に、制御手段２２は、このようなスイッチＳｃ，Ｓｂの操作による電動送風機８の駆動時に、スイッチＳａを押してＯＮさせると、吸込口体１２の駆動モータ２０をサイリスタ２５を介して駆動制御するようになっている。この際、制御手段２２は、駆動モータ２０を制御して正転と逆転とを交互に繰り返させ、回転清掃体１７を１回転未満の範囲内で正回転と逆回転を交互に繰り返させるようになっている。しかも、電動送風機８の駆動時に、スイッチＳａを押す毎に、制御手段２２は駆動モータ２０を交互にのＯＮ・ＯＦＦさせるようになっている。
【００１８】
次に、このような構成の電気掃除機の作用を説明する。
【００１９】
このような構成において、図１の電源プラグＰを商用電源のコンセント（図１では図示せず）に差し込んで、スイッチＳｂ又はスイッチＳｃをＯＮさせると、制御手段２２は電動送風機８をサイリスタ２４を介して駆動させ、電動送風機８の吸込負圧を集塵室５に作用させる。この吸込負圧は、紙パックフィルタ７，集塵ホース９，手元操作パイプ１０及び延長パイプ１１を介して吸込口体１２の吸込室１６に作用する。
【００２０】
この吸込負圧により清掃面の塵埃は、吸込開口１６ａを介して吸込室１６に空気と共に吸い込まれる。そして、この塵埃を含む空気は、延長パイプ１１，手元操作パイプ１０及び集塵ホース９を介して紙パックフィルタ７内に吸い込まれた後、紙パックフィルタ７を透過する。この際、塵埃は紙パックフィルタ７に捕捉される。
【００２１】
そして、紙パックフィルタ７を透過した空気は、吸込開口８Ａから電動送風機８内に吸い込まれて、その内部を冷却した後、電動送風機８外に排出されて掃除機本体１の図示しない排気口から大気に排出される。
【００２２】
一方、このような電動送風機８の駆動状態において、スイッチＳａを押して駆動モータ２０を駆動させると、制御手段２２は図５のフローチャートに従って駆動モータ２０の制御動作を開始する。
ステップＳ１
このフローチャートにおいて、ステップＳ１において制御手段２２は、駆動モータ２０を正回転させてステップＳ２に移行する。これにより、駆動モータ２０の回転はタイミングベルト２１を介して回転清掃体１７に伝達され、回転清掃体１７が正回転させられ、清掃面の塵埃が掻き上げられる。
ステップＳ２
このステップＳ２では、駆動モータ２０の正回転がｔ１秒経過したか否かが判断され、ｔ１秒経過していないときにはステップＳ１に戻ってループする。また、ｔ１秒経過している場合にはステップＳ３に移行する。このｔ１秒は、例えば０．１秒程度であり、回転清掃体１７が１回転しない範囲内である。
ステップＳ３
このステップＳ３において制御手段２２は、駆動モータ２０を逆回転させてステップＳ４に移行する。これにより、駆動モータ２０の回転はタイミングベルト２１を介して回転清掃体１７に伝達され、回転清掃体１７が逆回転させられ、清掃面の塵埃が掻き上げられる。
ステップＳ４
このステップＳ４では、駆動モータ２０の逆回転がｔ２秒経過したか否かが判断され、ｔ２秒経過していないときにはステップＳ３に戻ってループする。また、ｔ２秒経過している場合にはステップＳ１戻ってループする。このｔ２秒は、例えば０．１秒程度であり、回転清掃体１７が１回転しない範囲内である。
【００２３】
このような制御手段２２による駆動モータ２０の正回転と逆回転は、スイッチＳａが再度押されるか、スイッチＳｄが押されるまで繰り返し実行される。これにより、回転清掃体１７は、１回転未満で正転と逆転を交互に繰り返して、清掃面の塵埃を掻き上げることになる。しかも、回転清掃体１７は、正方向や逆方向に１回転以上回転しないので、糸くず等の塵埃が回転清掃体１７に絡みつくことはない。
【００２４】
このような回転清掃体１７の短時間の正逆回転（往復回転）により、清掃面の塵埃が前後に交互に小刻みに掻き上げられ、この掻き上げられた塵埃は上述したようにして電動送風機８の吸込負圧で紙パックフィルタ７に捕捉されることになる。
【００２５】
以上説明したように、この発明の実施の形態の吸込口体１２は、吸込室１６を有し且つ前記吸込室１６の吸込開口１６ａが底面に開口する吸込口本体１４と、前記吸込開口１６ａに沿って前記吸込室１６に配設され且つ清掃面の塵埃を掻き上げ可能に両端部が前記吸込口本体１４に回転自在に保持された塵埃掻き上げ用の回転清掃体１７と、前記吸込口本体１４に装着されて前記回転清掃体１７を回転駆動する駆動モータ２０と、前記駆動モータ２０を回転駆動制御する制御手段２２とを備えている。しかも、前記駆動モータ２０の正回転と逆回転の駆動制御が制御手段２２により行われるようになっている。また、前記制御手段２２は、一回転未満の範囲内で前記回転清掃体１７の正回転と逆回転の駆動制御を交互に実行するように設定されている。また、この発明の電気掃除機は、このような吸込口体を有する。
【００２６】
このような吸込口体１２及びこれを備える電気掃除機は、糸くず等の細長い塵埃が回転清掃体に絡みつくのを防止できる。
【００２７】
尚、上述した実施例では、回転清掃体１７を円形としたが、必ずしもこれに限定されるものではない。例えば、回転清掃体１７を半円形とすることができる。例えば、回転軸１８は軸状であっても、この回転軸１８のブラシ毛１９は半円形の前後の範囲又は半円形よりも狭い範囲で軸線方向に螺旋状又は直線状に設けても良い。この範囲は、回転軸１８が一回転未満の範囲で往復回転する際に、ブラシ毛１９が清掃面の塵埃を掻き上げることができればよい。また、駆動モータ２０の回転は回転軸１８にタイミングベルト２１を介して伝達させるようにした例を示したが、駆動モータ２０の回転を回転軸１８にギヤ伝達機構（一連のギヤ）を介して伝達させるようにしてもよい。
【図面の簡単な説明】
【００２８】
【図１】この発明に係る吸込口体を備える電気掃除機の概略斜視図である。
【図２】図１の吸込口体の斜視図である。
【図３】図２の吸込口体の底面図である。
【図４】図１の電気掃除機の制御回路図である。
【図５】図２の駆動モータの制御を説明するフローチャートである。
【符号の説明】
【００２９】
１２・・・吸込口体
１４・・・吸込口本体
１６・・・吸込室
１６ａ・・・吸込開口
１７・・・回転清掃体
２０・・・駆動モータ
２２・・・制御手段
【図１】
2007313099.tif 000003
【図２】
2007313099.tif 000004
【図３】
2007313099.tif 000005
【図４】
2007313099.tif 000006
【図５】
2007313099.tif 000007